(57)【要約】【課題】建設中の建物の中に流入する雨水を自然排水できる、構造が簡単で、安価に製造できる排水装置を提供する。【解決手段】選ばれた止水階の床スラブ３ｃに形成された仮設開口３ｅの下面側に、スラブ打設時にインサートされたナット４４にボルト４３を螺合させることにより、第１排水ユニット２１のスライドレール３１、３２を対向させて並行に取り付ける。このレールにスライド部２４、２４が滑動自在に支持された状態で受水槽２２を取付ける。ボルト３７を取付けることにより、受水槽が外れないようにする。受水槽は、仮設開口の下に位置する受水位置と、下から退避した退避位置との間で移動可能である。第２排水ユニット５１は、配管用開口３ｆに取付けられ、スラブ上面に接着される取付け板５２とそれに取付けられて配管用開口内に挿入されるホース接続管とを備えている。【選択図】　　　図２
2004084414.tif 000002
【特許請求の範囲】
【請求項１】
建設中の建物の中に流入する雨水を排水する排水装置において、上側が開口し、排水口を備えた受水槽と、該受水槽を所定の方向に所定の範囲で往復動可能に案内する案内手段と、前記案内手段を前記建物の打設済みの階の内から選択された階の床スラブの下面側の所定の位置に取付ける取付け手段とを有する排水ユニットを備えたことを特徴とする、排水装置。
【請求項２】
請求項１記載の排水装置において、前記建物の前記選択された階の床スラブには開口が設けられ、前記受水槽は、前記開口の下に位置する受水位置と、平面的な関係で見て前記開口から少なくとも部分的に外れている退避位置との間で移動可能に設けられていることを特徴とする、排水装置。
【請求項３】
請求項２に記載の排水装置において、前記受水槽は、互いに平行に対向して形成された少なくとも一対の側壁を備え、前記受水槽は前記一対の側壁の上縁部に沿って、外側へ向かって所定の幅で形成されたスライド部を備え、前記案内手段は、平面的に見て前記開口の外側において、互いに平行に延びて配置された、前記スライド部を滑動可能に支持するスライドレールを備えていることを特徴とする、排水装置。
【請求項４】
請求項３に記載の排水装置において、前記取付け手段は、複数組の互いに組み合わされる二つの部材を含んだ締結装置を含んでなり、前記各組の締結装置の前記二つの部材のうちの一方は、前記選択された階の床スラブの下面側に固定されていることを特徴とする、排水装置。
【請求項５】
請求項４記載の排水装置において、前記一方の部材は、前記選択された階の床スラブを打設する際にインサートすることにより床スラブに固定されることを特徴とする、排水装置。
【請求項６】
請求項５記載の排水装置において、前記一方の部材はナットであり、前記案内手段は、前記ナットに螺合するボルトを用いて取付けられることを特徴とする、排水装置。
【請求項７】
請求項１乃至６のいずれか１に記載の排水装置において、前記排水装置は、さらに第２の排水ユニットを備え、該第２の排水ユニットは、前記第１の排水ユニットが取付けられた前記床スラブに形成された他の開口に取付けられることを特徴とする、排水装置。
【請求項８】
請求項７記載の排水装置において、前記第２の排水ユニットは、貫通孔が形成された板部材と、前記板部材の貫通孔に取付けられた、貫通孔を有する筒部材とを備えていることを特徴とする、排水装置。
【発明の詳細な説明】
【０００１】
【発明の属する技術分野】
本願発明は、建築中の建造物、例えば高層のビルなどの中に流入する雨水を外部へ排水する排水装置に関し、さらに詳細に言えば、簡単な構造で、安価に製造でき、設置しておくだけで格別の動力を要することなく、自然排水できる排水装置に関する。
【０００２】
【従来の技術】
高層ビル等コンクリート製の複数階建造物を建設する場合、下層階から順次コンクリートを打って行き、一階の天井部分（二階の床部分）のスラブを打って一階部分のコンクリートの打設が完了すると、次に二階部分のコンクリートの打設にかかる。この時、各階の天井（床）部分のスラブには、上層階への資材の荷揚げ用に仮設開口を設ける場合がある。また、各階を通じて各種配管をするための配管用の開口を設けることも普通行なわれる。これらの開口を使用しないときには落下防止用の蓋を被せておく。
【０００３】
ところで、下側の階の打設が済んで上の階の打設その他の作業中に、打設済みの下側の階へ雨水などが流入することは好ましくない。特に、作業の効率化のために、打設が済んだ階に付いては内装工事に着手する場合もあり、その場合には雨水の流入を避けることは必須である。その場合、打設の済んだ階のいずれかを止水階として、それより下の階への水の流入を阻止し、止水階の床スラブ上に溜まった水を排水することが行われる。
【０００４】
図１を用いて従来の排水方法について説明すると、図において、符合１は建築中の建造物であり、一階２と二階３の打設が終了し、三階４の打設を行うところを示している。ここでは二階３を止水階とし、その床スラブ２ｃ（一階天井スラブ）部分を止水階として、それより上の階からの雨水の流入を止め、一階への雨水の流入を防止しようとしている。
【０００５】
一階２の側壁２ｂに形成された窓用の開口２ｄにはサッシ（図示省略）が取付けられ、この部分から雨水は入らないが、二階３の側壁３ｂの開口３ｃには未だサッシの取付けは行なわれていない。一階２と二階３の天井スラブ２ｃ、３ｃは前述の仮設開口２ｅ、３ｅと配管用開口２ｆ、３ｆが形成されている。そして配管用開口２ｆ、３ｆには落下防止用の蓋５、５が被せられ、二階３の仮設開口３ｅにも落下防止用の蓋６が被せてある。これらの蓋は単に置いてあるだけであり、この部分での止水性を確保するものではない。
【０００６】
一階２の天井或は二階３の床２ｃの仮設開口２ｅについては、止水するための処置が施されている。即ち、床スラブ２ｃの上面側において、モルタルを用いて、仮設開口２ｅを取囲む形に、ある高さで止水土手７を形成し、その上に落下防止用蓋８を被せてある。この蓋８は、前述の蓋６と同じものを用いることも可能である。
【０００７】
上記のように止水したので、上から流入した雨水はこの止水階で止められ、一階２に流入することはない。そして、この床スラブ２ｃの上に溜まった雨水を、ポンプ９を用いてホース１０を介して屋外へ排水する。
【０００８】
ところで上記した従来の方法では、降雨の度にポンプを用いて排水することとしていたので、その度に多大な費用を要していた。
【０００９】
【発明が解決しようとする課題】
本願発明は、設定した止水階から、溜まった水を格別の動力を使用せずに、自然排水できる、簡単な構造で、安価に製造できる排水装置を提供することをその課題とする。
【００１０】
【課題を解決するための手段】
上記課題を解決するために、本発明での建設中の建物の中に流入する雨水を排水する排水装置では、上側が開口し、排水口を備えた受水槽と、該受水槽を所定の方向に所定の範囲で往復動可能に案内する案内手段と、この案内手段を建物の打設済みの階の内から選択された階の床スラブの下面側の所定の位置に取付ける取付け手段とを有する排水ユニットを備えている。
【００１１】
その建物の選択された階の床スラブには開口が設けられ、受水槽は、この開口の下に位置する受水位置と、平面的な関係で見て前記開口から少なくとも部分的に外れている退避位置との間で移動可能に設けられる。
【００１２】
受水槽は、互いに平行に対向して形成された少なくとも一対の側壁を備えており、さらに、この一対の側壁の上縁部に沿って、外側へ向かって所定の幅で形成されたスライド部を備えている。そして案内手段は、平面的に見て前記開口の外側において、互いに平行に延びて配置された、受水層のスライド部を滑動可能に支持するスライドレールを備えている。
【００１３】
取付け手段は、複数組の互いに組み合わされる二つの部材を含んだ締結装置を含んでなり、各組の締結装置の二つの部材のうちの一方は、選択された階の床スラブの下面側に固定されている。
【００１４】
その一方の部材は、選択された階の床スラブを打設する際にインサートすることにより床スラブに固定されるナットであり、案内手段は、このナットに螺合するボルトを用いて取付けられる。
【００１５】
本発明の装置はさらに、第２の排水ユニットを備え、該第２の排水ユニットは、第１の排水ユニットが取付けられた床スラブに形成された他の開口に取付けられる。この第２の排水ユニットは、貫通孔が形成された板部材と、板部材の貫通孔に取付けられた、貫通孔を有する筒部材とで構成される。
【００１６】
【発明の実施の形態】
以下、図面を参照して本願発明の具体的な実施の形態について説明する。図２は、本願発明の実施の形態に係る排水の方法を示す概略構成図であり、従来例に係る図１に対応する図である。図において、図１の場合と同じ部材に付いては同じ番号を付し、その詳細な説明は省略する。
【００１７】
この図においても、二階３までのコンクリートの打設が完了した状態を示しており、一階２及び二階３の天井スラブ２ｃ、３ｃにはそれぞれ仮設開口２ｅ、３ｅと配管用開口２ｆ、３ｆが形成されている。そしてこの例の場合では、二階３の天井即ち三階４の床３ｃが止水階とされ、仮設開口３ｅと配管用開口３ｆとに対応して、第１排水ユニット２１と第２排水ユニット装置５１とが設けられている。以下、図３以下を参照して詳細に説明する。
【００１８】
図３は第１排水ユニット２１の分解斜視図であり、図４は、その正面図である。図において、符号２２は受水槽であり、上側が開いた横断面長方形の箱型をしており、十分な量の水に耐え得るように、十分な剛性を備えている。その横断面の形状は、仮設開口３ｅの平面形状より十分に広い。即ち、受水槽２２を仮設開口３ｅの下側に配置して上側から見たときに、仮設開口３ｅが受水槽２２の平面形状の中に完全に入ってしまうような形状を有している。
【００１９】
受水槽２２の長手方向に対向して延びる長側壁２２ａ、２２ｂの内側面には、手で持つことの出来る取っ手２３、２３が取付けられている。また、長側壁２２ａ、２２ｂと直交する方向に延びる二つの対向する短側壁２２ｃ、２２ｄの上縁部に沿って、その全長に渡って延びる、所定の幅を有する帯状のスライド部２４、２４が、外側に略直角に折り曲げたような状態で一体に形成されている。そして一方の短側壁２２ｃには、後述のホース２６を接続することの出来る筒状の接続口２５が取付けられている。
【００２０】
符合３１と３２はスライドレールであり、これらは互いに対称な形状に形成されているので、一方のスライドレール３１についてのみ、その形状を説明する。図５及び６はそれぞれ、図３におけるＡ−Ａ線及びＢ−Ｂ線に沿っての拡大断面図である。
【００２１】
スライドレール３１は、前述の受水槽２２を、スライド部２４を介して、仮設開口３ｅの下に位置した受水位置と、仮設開口３ｅの下から少なくとも部分的に、望ましくは完全に退避した退避位置との間で移動させるものであり、そのために必要なだけの十分な長さを有している。
【００２２】
スライドレール３１は、大略レール部３３と取付け部４１とで構成されている。レール部３３は、図５、６に示されるように、上下に所定の間隔を隔てて配置された板状の上下案内部３４、３５とを備え、これら上下案内部３４、３５の幅方向での端部の間は、一端側は開いており、他端側は上案内部３４と取付け部４１との間の位置で、垂直壁３６により繋がれ、閉じられている。この一端側が開いたスペース３９には、前述の受水槽２２のスライド部２４が嵌り、スライドレール３１の長手方向に容易に移動できるようになっている。図５に示される符号３７は、後述の如くスペース３９にスライド部２４が嵌められてから、それが軸方向で外れないようにするためのストッパとして、下案内部３５に長手方向での一端部近傍に取り付けられるボルトである。これと長手方向反対側の端部には、これも反対側へ受水槽２２が外れるのを防止するための端部壁３８が形成されている（図６参照）。
【００２３】
スライドレール３１の取付け部４１は、レール部３３の上案内部３４がその幅方向に垂直壁３６から遠ざかる方向へ所定の幅だけ延びる形で形成されている。そして、この取付け部４１には、長手方向で所定の間隔を明けて複数の取付用の孔４２が形成されている。
【００２４】
第１排水ユニット２１の取付けは以下のように行なわれる。すなわち、受水槽２２が、上から見たときに平面的関係で仮設開口３ｅが受水槽２２の中に完全に入ってしまうこととなる受水位置と、その位置から受水槽２２が水平方向に移動して、仮設開口３ｅの下から少なくとも部分的に、望ましくは完全に退避した退避位置との間で移動出来るように取付ける。
【００２５】
そのために先ず、両側のスライドレール３１、３２を、受水槽２２を移動させようとする方向（図４において紙面に垂直方向）で、三階４の床スラブ（二階の天井）３ｃに形成された仮設開口３ｅの両側に沿って取付ける。すなわち、適宜な取付けボルト４３を下側からスライドレール３１、３２の取付け孔４２に通し、床スラブ３ｃにインサートして固定されているナット４４に螺合させる。このナット４４は、床スラブ３ｃを打設する際に、型枠（図示してないが、本実施の形態では従来から使用されている、打設後に取外される型枠ベニヤを使用している）に予めセットし、コンクリートを打設した際にコンクリートにインサートしてしまうことにより、床スラブ３ｃに下向きに取付ける。このようにしてスライドレール３１、３２を所定の位置に取付ける。この時前述のストッパボルト３７は、レール部３３には取付けられていない。
【００２６】
次に受水槽２２を、その両側のスライド部２４、２４をスライドレール３１、３２のレール部３３のスペース３９内へ、ストッパボルト３７が後から取付けられる側の端部から挿入し、スライドレール３１、３２により滑動可能に支持させる。挿入後、ストッパボルト３７を取付ける。これにより、受水槽２２は前述の受水位置と格納位置との間で移動可能となる。そして、受水槽２２の接続口２５に所定の寸法のホース２６の一端側を取り付け、その反対側端部を二階３の窓用の開口３ｄから建物１の外に出す。このホース２６は普段は外しておき、必要ある場合のみ取付けるようにしてもよい。
【００２７】
以上の如く構成した第１排水ユニット２１は次のようにして使用する。すなわち、作業中に仮設開口３ｅを資材の荷揚げなどのために使用する場合には、受水槽２２を格納位置に移動させておく。作業中に使用しない場合には落下防止のために蓋６を被せておく。一方止水階すなわち床スラブ３ｃ上から雨水を排水しようとする場合には、受水槽２２を前述の受水位置に移動させる。雨水は床スラブ３ｃ上から仮設開口３ｅを介して受水層２２内へ流入し、接続口２５からホース２６を通って外へ排水される。別の大きな受水層を地面上に設置し、ホース２６から排出される雨水を受けるようにしてもよい。
【００２８】
次に図７を参照して第２排水ユニットについて説明する。図７は第２排水ユニット５１を示す断面図であり、このユニット５１は、配管用開口３ｆに取り付けられる。このユニット５１に代えて、先に説明した第１排水ユニット２１と同様のユニットを用いることは勿論可能であるが、この場合には特に移動させる必要はないので、より簡単な構造をした第２排水ユニット５１を使用することとしたものである。
【００２９】
この第２排水ユニット５１は、薄板円盤状の取付け板５２と、その中央部に取付けられる円筒状のホース接続管５３とからなる。取付け板５２は、床スラブ３ｃの上面側に、本実施の形態では接着剤を用いて固着され、ホース接続管５３が開口３ｆ内を通って下方へ延びている。使用時にはその先端に図２に示されるように、ホース５４が取付けられる。したがって雨水は、床スラブ３ｃ上から接続管５３、ホース４を通って排水される。
【００３０】
次に第１排水ユニットの他の実施の形態を説明する。この実施例は、近年使用されるようになっている、鋼製スラブ型枠所謂デッキプレートを使用したスラブの場合に適用する排水ユニットである。即ちデッキプレート６１は、鋼製の板６２にその剛性を高めるために、所定の間隔で下方へ延びるリブ６３を一体に形成したものであり、この板６２の上側にスラブを打設する。そして従来の型枠ベニヤと異なる点は、従来の型枠ベニヤは打設後に取外すのに対し、このデッキプレート６１は打設後も取外さず、取付けたままにする点である。デッキプレート６１のリブ６３の形状は種々あるが、以下に説明する排水ユニット７１は、リブ６３の形状にかかわらず適用可能である。
【００３１】
図９は第２の実施の形態に係るユニット７１を説明するための図で、第１の実施の形態に係る図４に対応する図である。なお、この実施の形態のユニット７１において第１の実施の形態に係る装置２１と異なる点は、取り付けボルト４３の長さのみであるので、その他の部材については同じ符号を使用し、その説明は省略する。
【００３２】
本実施の形態では、床スラブ３ｃに、床スラブ３ｃの打設時に同時にインサートして取付け固定される取付用のナット４４は、第１の実施例と同様に受水槽２２の移動方向に沿って仮設開口３ｅの両側に所定の範囲で複数個取り付けられるが、その場合に、その取付け位置としては、デッキプレート６１のリブ６３を避けた位置に配置される。そして使用される取付けボルト７２は、第１の実施の形態で使用したものより長く、図に示されるように、受水層２２がリブ６３の下端部より下側に位置し、受水位置と格納位置との間で移動する際に、リブ６３が何ら妨げにならないようになっている。この装置７１の取付け方法及び使用方法に付いては、先の第１の実施の形態での説明から明らかであるので、詳細は省略する。
【００３３】
【発明の効果】
上記説明から明らかなとおり、本発明の排水装置によれば、従来使用していた排水用のポンプなどを使用することなく、自然排水できるので、建設時の費用の節減が可能となる。しかも本発明の装置そのものの構造が簡単で、それの製造価格もきわめて安い。そしてその装置は、止水階を変える毎に前の止水階から取り外して新たに設定した止水階に取付けることが出来、繰り返しの使用が可能である。又そのナットも、床スラブを打設する際に同時にインサートして取付け固定することが出来、きわめて便宜である。
【図面の簡単な説明】
【図１】従来の排水方法を示す概略構成図である。
【図２】本発明に係る排水装置を用いて排水する方法を示す概略構成図である。
【図３】第１排水ユニットの分解斜視図である。
【図４】第１排水ユニットを取付けた状態を示す正面図である。
【図５】図３のＡ−Ａ線での拡大断面図である。
【図６】図３のＢ−Ｂ線での拡大断面図である。
【図７】第２排水ユニットを示す断面図である。
【図８】デッキプレートの部分断面図である。
【図９】第１排水ユニットの第２の実施の形態を示す正面図である。
【符号の説明】
２０　排水装置
２１　第１排水ユニット
２２　受水槽
２４　スライド部
２５　接続口
２６　ホース
３１、３２　スライドレール
３３　レール部
４３　取り付けボルト
４４　ナット
【図１】
2004084414.tif 000003
【図２】
2004084414.tif 000004
【図３】
2004084414.tif 000005
【図４】
2004084414.tif 000006
【図５】
2004084414.tif 000007
【図６】
2004084414.tif 000008
【図７】
2004084414.tif 000009
【図８】
2004084414.tif 000010
【図９】
2004084414.tif 000011